(57)【要約】【課題】本発明は電源経路接続部への外部からの液体の浸入を防ぐとともに、電源経路接続部の冷却性能を向上すること。【解決手段】上に電源経路接続部カバー上方開口部（開口部）３３ｂ、下に電源経路接続部カバー下方開口部（開口部）３３ａを有し、電源経路接続部基板２７を覆う金属製の電源経路接続部カバー３３の上方の電源経路接続部カバー上方開口部３３ｂと、排気口３７を上方から見て重ならないように設けることで、機器後方に設けられた電源経路接続部基板２７への排気口３７からの水の浸入を防ぎつつ、冷却性能およびノイズ遮蔽性能を向上することができる。【選択図】図２
2010282910.tif 000002
【特許請求の範囲】
【請求項１】
本体を構成する外郭と、本体上面に設けられた被加熱物を戴置するためのトッププレートと、前記トッププレートの下方に設けられた前記被加熱物を誘導加熱する加熱コイルと、本体前方に設けた開口部と、前記開口部を通して本体外の空気を吸気するファンと、前記ファンより後方へ送風された冷却風の下流側に設けられ前記加熱コイルの出力を制御する回路基板と、前記外郭後方の上面に設けられた前記冷却風の出口となる排気口と、前記外郭後部を貫通して商用電源を供給する電源コードと、前記電源コードと前記回路基板に導く電源経路とを接続する電源経路接続部と、前記外郭側壁に取り付けられ、前記電源経路接続部を覆うようにダクトを形成する金属カバーとを備え、前記ダクトは下方と上方に開口部を有し、前記上方の開口部は上方から見て前記排気口と重ならないように前記排気口の近傍に設けるとともに前記上方の開口部から前記排気口に通ずる排気経路を構成したことを特徴とする誘導加熱調理器。
【請求項２】
ダクトは電源経路接続部と回路基板の間に設けられたノイズフィルタをさらに覆うことを特徴とした請求項１に記載の誘導加熱調理器。
【請求項３】
回路基板と外郭底面の間に前記底面と略垂直な側壁を設け、ファンからの冷却風を前記回路基板と前記外郭底面と前記側壁に囲まれた経路に流すことを特徴とする請求項１または２に記載の誘導加熱調理器。
【請求項４】
回路基板と外郭底面の間に前記底面と略平行な仕切板を設け、ファンからの冷却風を前記仕切板と前記外郭底面の間に流すことを特徴とする請求項１または２に記載の誘導加熱調理器。
【請求項５】
仕切板と外郭底面に当接する略垂直な側壁を設け冷却風を前記仕切板と前記外郭底面と前記側壁に囲まれた経路に流すことを特徴とした請求項４に記載の誘導加熱調理器。
【請求項６】
仕切板と外郭底面と側壁との間に空間を構成し、前記空間は排気口と連結して経路を構成することを特徴とした請求項５に記載の誘導加熱調理器。
【発明の詳細な説明】
【技術分野】
【０００１】
本発明は、誘導加熱調理器に関するものである。
【背景技術】
【０００２】
従来、この種の誘導加熱調理器としては、例えば、特許文献１（特開昭６１−２６０５８５号公報）に記載されているようなものがあった。
【０００３】
特許文献１では、電磁調理器の電源入力部と単相交流電源の各ラインとを接続する２個のチョークコイルと、チョークコイルの電磁調理器側の各端子を接続するバイパスコンデンサと、前記チョークコイルを覆うカバーとを備え、カバーは、誘導加熱コイルに対向する面が非磁性金属板からなり、他の面が開口を有する構成としている。
【先行技術文献】
【特許文献】
【０００４】
【特許文献１】特開昭６１−２６０５８５号公報
【発明の概要】
【発明が解決しようとする課題】
【０００５】
しかしながら、近年、この種の誘導加熱調理器は、総電力５８００Ｗの機器が主流となっており、２００Ｖであるが、約２９Ａの電流が流れるため、前記従来の構成では、電源部に配したチョークコイル、コンデンサ等を含む電子部品の温度上昇が電源経路接続部内の電気抵抗によって高くなってしまう。部品によっては、冷却対策が必要となってしまい、非磁性金属板で覆うことで対ノイズ性の向上は達成されるが、冷却性能の悪化というトレードオフを有しているという課題を有していた。また、チョークコイル等、電源経路接続部内の部品の冷却性能向上のために、排気口近傍に電源経路接続部を設け、電源経路接続部の発熱を直接機器本体に排気させるといった手段も考えられるが、使用中に鍋から吹き零れた液体が排気口から電源経路接続部に侵入し、機器の故障となる危険性も生じるという課題も有していた。
【０００６】
本発明は、前記従来の課題を解決するもので、電源経路接続部への外部からの液体の浸入を防ぐとともに、電源経路接続部の冷却性能を向上する誘導加熱調理器を提供することを目的とする。
【課題を解決するための手段】
【０００７】
前記従来の課題を解決するために、本発明の誘導加熱調理器は、本体を構成する外郭と、本体上面に設けられた被加熱物を戴置するためのトッププレートと、前記トッププレートの下方に設けられた前記被加熱物を誘導加熱する加熱コイルと、本体前方に設けた開口部と、前記開口部を通して本体外の空気を吸気するファンと、前記ファンより後方へ送風された冷却風の下流側に設けられ前記加熱コイルの出力を制御する回路基板と、前記外郭後方の上面に設けられた前記冷却風の出口となる排気口と、前記外郭後部を貫通して商用電源を供給する電源コードと、前記電源コードと前記回路基板に導く電源経路とを接続する電源経路接続部と、前記外郭側壁に取り付けられ、前記電源経路接続部を覆うようにダクトを形成する金属カバーとを備え、前記ダクトは下方と上方に開口部を有し、前記上方の開口部は上方から見て前記排気口と重ならないように前記排気口の近傍に設けるとともに前記上方の開口部から前記排気口に通ずる排気経路を構成したことを特徴とする。
【０００８】
これによって、電源経路接続部の温度上昇を抑制できるとともに、電源経路接続部への
加熱コイルからの漏洩磁束やスイッチング電源から発せられる電磁ノイズからのノイズ遮蔽性能を向上することができる。また、さらに、ダクトの上面開口部を排気口と重ならないように配置することで、使用者が調理中に排気口に水やスープ等の液体を零してしまった場合においても、電源経路接続部には液体は浸入せず、ショートの危険がなく安心して使用することができる。
【発明の効果】
【０００９】
本発明の誘導加熱調理器は、上下に開口部を有し、電源経路接続部を覆う金属製のダクト上方の開口部と、排気口を機器上方から見て重ならないように設けることで、機器後方に設けられた電源経路接続部を排気口からの水の浸入を防ぎつつ、冷却性能およびノイズ遮蔽性能を向上することができる。
【図面の簡単な説明】
【００１０】
【図１】本発明の第１の実施の形態における誘導加熱調理器の断面図
【図２】本発明の第１の実施の形態における誘導加熱調理器の内部の構成を示す斜視概略図
【図３】本発明の第１の実施の形態における誘導加熱調理器のノイズフィルタ取り付け部詳細図
【図４】本発明の第１の実施の形態における誘導加熱調理器のブロック図
【図５】本発明の第３の実施の形態を示す誘導加熱調理器の概略図
【図６】本発明の第４の実施の形態を示す誘導加熱調理器の概略図
【図７】本発明の第５の実施の形態を示す誘導加熱調理器の概略図
【図８】本発明の第６の実施の形態を示す誘導加熱調理器の概略図
【発明を実施するための形態】
【００１１】
第１の発明は、本体を構成する外郭と、本体上面に設けられた被加熱物を戴置するためのトッププレートと、トッププレートの下方に設けられた被加熱物を誘導加熱する加熱コイルと、本体前方に設けた開口部と、開口部を通して本体外の空気を吸気するファンと、ファンより後方へ送風された冷却風の下流側に設けられ加熱コイルの出力を制御する回路基板と、外郭後方の上面に設けられた冷却風の出口となる排気口と、外郭後部を貫通して商用電源を供給する電源コードと、電源コードの端子と回路基板に導く電源経路とを接続する電源経路接続部と、外郭側壁に電源経路接続部を覆う金属により形成されたダクトとを備え、ダクトは下方と上方に開口部を有し、上方の開口部は上方から見て排気口と重ならないように排気口の近傍に設けるとともに上方の開口部から排気口に通ずる排気経路を構成することにより、電源経路接続部の温度上昇を抑制できるとともに、電源経路接続部への加熱コイルからの漏洩磁束やスイッチング電源から発せられる電磁ノイズからのノイズ遮蔽性能を向上することができる。また、さらに、ダクトの上面開口部を排気口と重ならないように配置することで、使用者が調理中に排気口に水やスープ等の液体を零してしまった場合においても、電源経路接続部には液体は浸入せず、ショートの危険がなく安心して使用することができる。
【００１２】
第２の発明は、特に、第１の発明のダクトが電源経路接続部と回路基板の間に設けられたノイズフィルタをさらに覆うとすることにより、ノイズフィルタの冷却性能を向上することができるとともに、ノイズフィルタのノイズ遮蔽性能を向上させることができる。
【００１３】
第３の発明は、特に、第１または第２の発明の回路基板と外郭底面の間に底面と略垂直な側壁を設け、ファンからの冷却風を回路基板と外郭底面と側壁に囲まれた経路に流すとすることにより、冷却風をダクト内に効率よく流すことができ、冷却性能を向上することができる。
【００１４】
第４の発明は、特に、第１または第２の発明の回路基板と外郭底面の間に底面と略平行な仕切板を設け、ファンからの冷却風を仕切板と外郭底面の間に流すとすることにより、冷却風をダクト内に効率よく流すことができ、冷却性能を向上することができる。
【００１５】
第５の発明は、特に、第４の発明の仕切板と外郭底面に当接する略垂直な側壁を設け冷却風を仕切板と外郭底面と側壁に囲まれた経路に流すとすることにより、冷却風をダクト内に効率よく流すことができ、冷却性能を向上することができる。
【００１６】
第６の発明は、特に、第５の発明の仕切板と外郭底面と側壁との間に空間をさらに構成し、前記空間は、排気口と連結した経路を構成しているとすることにより、排気口から侵入した水等の液体が排気口から前記空間に流入することで、冷却風の経路に水等の液体が侵入し液体がファンの風に乗って電源経路接続部に付着することがなく、使用者が調理中に排気口に水やスープ等の液体を零してしまった場合においても、ショートの危険がなく、安心して使用することができる。
【００１７】
以下、本発明の実施の形態について、図面を参照しながら説明する。なお、本実施の形態によって、本発明が限定されるものではない。
【００１８】
（実施の形態１）
図１は本実施の形態における誘導加熱調理器の断面図。
【００１９】
図２は本実施の形態における誘導加熱調理器の内部の構成を示す斜視概略図。
【００２０】
図３は本実施の形態における誘導加熱調理器のノイズフィルタ取り付け部詳細図。
【００２１】
図４は本実施の形態における誘導加熱調理器のブロック図。
【００２２】
図に示すように、金属で形成された誘導加熱調理器の本体外郭１１は、キッチン１２の上面開口部から挿入設置されている。本体外郭１１上面には、本体外郭１１の上面を覆うとともに本体外郭１１をキッチンの上面開口部から挿入設置したときに本体外郭１１を支えるトップユニット部１３、トップユニット部１３を構成する鍋などを載せる結晶化ガラスで形成したトッププレート１４とトッププレート下面を支える金属製のアンダーフレーム１５、本体外郭１１内のトップユニット部１３の下には、左側に左加熱コイル１６ａ、右側に右加熱コイル１６ｂが置かれている。また本体の左側で、左加熱コイル１６ａの下方にロースター１７が置かれている。ロースター１７の右側で、右加熱コイル１６ｂの下方には、基板ベース１８で保持した、左加熱コイル１６ａと右加熱コイル１６ｂに電流を供給し駆動制御する回路基板１９が配置されている。回路基板１９には、整流回路２０とインバータ回路２１とスイッチング電源２２と制御回路２３が設けられている。また、回路基板１９の前側に近接して本体外郭１１内に冷却風を送り込む冷却ファン２４を、冷却ファン２４の前側に加熱操作設定を行う操作部２５を配置している。回路基板１９後方の外郭後側面に電源経路接続部基板ホルダ２６に取り付けたられた電源経路接続部基板２７を設け、電源経路接続部基板２７の下方の外郭後側面開口穴より挿入された電源コード２８の電源コード電源接続部２９を電源経路接続部基板２７の下側の端子台に端子ねじにより接続している。また、電源経路接続部基板２７の上方にはノイズフィルタ基板ホルダ３０に取り付けられたノイズフィルタ３１が、電源経路接続部基板２７と同様、外郭後側面に取り付けられ、電源経路接続部基板２７から出力された電流が、ノイズフィルタ３１を通過して制御回路２３に供給される。また、電源コードアース接続部３２は、電源経路接続部基板２７の下方で外郭後側面に締め付けて接続している。電源経路接続部基板２７、電源コード電源接続部２９および電源コードアース接続部３０の前面と左右を囲うように金属製の電源経路接続部カバー３３を形成しており、電源経路接続部カバー３３は外郭後
側面に当接するようにセットされ、電源経路接続部カバー３３の一部に設けたカバーねじ締め部３４は本体外郭１１後側面とアンダーフレーム１５とで挟んでねじで共締めをする構成となっており、アンダーフレーム１５で電源経路接続部基板２７上部を覆っている。電源コード２８は、電源接続線２本とアース線１本が束になった３線一体式の構成となっている。また、電源経路接続部カバー３３には、任意のノイズ遮蔽効果が損なわれない範囲で、カバー通気穴３５が設けられている。またさらに、基板ベース１８の下面に、冷却ファン２４から電源経路接続部カバー下方の開口部３３ａに通気経路を構成するように外郭底と基板ベース１８との間に空間を設けている。さらに、ロースター１７と、基板ベース１８、電源経路接続部カバー３３、冷却ファン２４および操作部２５との間に金属製の中仕切り板３６を配している。また、本体外郭１１後方の上部トップユニット部１３に冷却風の出口となる排気口３７を設けている。
【００２３】
操作部２５は、操作部外方を形成する操作部ケース３８に内蔵され、操作部２５が開閉により操作部ケース３８内に収納されたり、操作部ケース３８外方に露出されたりする形態となっている。操作部２５は、最上部に配した操作用押しボタン部３９と、その操作用押しボタン部３９下方に設けたボタンの操作を検知し回路基板１９へ信号を伝送するスイッチを有する操作基板４０と、操作基板を支持する操作基板ベース４１と、操作基板ベース４１を左右下方にて支持する左右支持部４２と、操作基板ベースと左右支持部の前面を塞ぐ前面板４３とで構成している。また、操作部２５上面の奥の略中央に幅が約５０ｍｍの操作部２５上面凸部を設け、また操作部ケース３８の上面の略中央に幅約５０ｍｍの下向き凸部を設けている。左右支持部４２の左右の下部とそれに対向した操作部ケース３８の側部にシャフト４４を通し、この部分を基点に開閉回動することにより、操作部２５が操作部２５ケース内に収納されたり、操作部２５ケース外方に露出されたりする。この際、操作部２５の上面の奥に設けた操作部２５上面凸部は、操作部ケース３８の内面と隙間をもって回動する。操作部２５が開いたときには、操作部２５上面凸部が、操作部ケース３８の上面に設けた下向き凸部に当接し、回動が止まる。
【００２４】
操作部２５後方の操作部ケース３８に設けた操作部ケース開口穴４５を設けており、操作部ケース３８と操作部２５の間に有る約４ｍｍの隙間と連続した通気経路を構成している。
【００２５】
冷却ファン２４は操作部ケース３８の奥に位置し、冷却ファン２４の奥に回路基板１９が配されている。ファン吸気口４６は操作部ケース３８側で排気口は回路基板側となる。
【００２６】
次に、冷却ファン２４の冷却風の流れについて説明する。図１および図２に冷却風の流れを矢印で記載する。
【００２７】
まず、冷却風は操作部ケース３８と操作部２５の間に有る約４ｍｍの隙間から外気が入り、操作部後方の操作部ケース３８に設けた操作部ケース開口穴４５を通って、ファン吸気口４６へ吸い込まれる。吸い込まれた空気は、大きく４経路に分けられて排出される。
【００２８】
１経路目は、回路基板１９と外郭底の空間で形成された電源経路接続部カバー下方開口部３３ａに通じる通気経路に噴出され、通気経路を通って電源経路接続部カバー下方開口部３３ａに吹き込んだ冷却風は、電源経路接続部カバー３３と外郭後側面とで形成された電源経路接続部基板２７を内部に有する通気経路を通って、電源経路接続部カバー上方開口部３３ｂから排出され、さらに電源経路接続部カバー上方開口部３３ｂと重ならないように設けられたトップユニット部１３後方の排気口３７へと流れ外へ排出される経路。
【００２９】
２経路目は、冷却ファン２４により基板ベース１８に取り付けられているスイッチング素子やダイオードブリッジといった発熱部品を有する回路基板１９へ噴出され、その後、
後方の電源経路接続部カバー３３のノイズ遮蔽効果が損なわれない範囲であけられたカバー通気穴３５へ流入し、電源経路接続部カバー上方開口部３３ｂまたは更に設けた別のカバー通気穴から排出され、さらに本体トップユニット部１３後方に設けられた排気口３７へと流れ外へ排出される経路。
【００３０】
３経路目は、冷却ファン２４により右加熱コイル１６ｂを経由しながら本体トップユニット部１３後方に設けられた排気口３７へと流れ外へ排出される経路。
【００３１】
４経路目は、冷却ファン２４により左加熱コイル１６ａを経由しながら本体トップユニット部１３後方に設けられた排気口３７へと流れ外へ排出される経路である。
【００３２】
本構成の１経路目の、回路基板１９と外郭底の空間で形成された、ファンからカバー下方の開口部３３ａに通じる通気経路へ噴出され、通気経路を通ってカバー下方の開口部下穴に吹き込み、電源経路接続部カバー３３と外郭後側面で形成された電源経路接続部基板２７を内部に有する通気経路を通って、カバー上方開口部３３ｂから排出される通気経路構成により、電源経路接続部基板２７を冷却することができる。
【００３３】
また、２経路目の、冷却ファン２４により基板ベース１８に取り付けられているスイッチング素子やダイオードブリッジといった発熱部品を有する回路基板１９へ噴出され、その後、後方の電源経路接続部カバー３３のノイズ遮蔽効果が損なわれない範囲であけられたカバー通気穴３５へ流入し、電源経路接続部カバー上方の開口部３３ｂまたは更に設けた別のカバー通気穴から排出され、さらに本体トップユニット１３後方に設けられた排気口３７へと流れ外へ排出される通気経路構成により、特に電源経路接続部基板２７の上方の１経路目で冷却効果が得られない箇所などを局部的に冷却することができ、１経路目とあわせて、電源経路接続部２７およびノイズフィルタ３１の冷却向上に効果を発揮することができる。また、この際、中仕切板３６により、加熱時のロースター１７からの熱影響を遮蔽し、本体右側の冷却経路に対する熱影響を低減することができ、電源経路接続部基板２７およびノイズフィルタ３１の冷却性能向上を行うことができる。
【００３４】
次に、回路接続および回路動作について説明する。図４にブロック図を示す。
【００３５】
商用電源と機器を接続するため電源コード２８の電源コード電源接続部２９が電源経路接続部基板２７に接続される、そして電源経路接続部基板２７と回路基板１９の整流回路２０がノイズフィルタを介して接続され、回路基板１９内で整流回路２０とインバータ回路２１が接続されており、インバータ回路２１に加熱コイル１６が接続されている。また回路基板１９内でスイッチング電源２２と制御回路２３が接続され、制御回路２３と操作部２５が接続されている。
【００３６】
ノイズフィルタ３１は発生するスイッチングノイズが商用電源の電源ラインに漏洩することを防止する。
【００３７】
整流回路２０は商用電源の交流を直流に変換する。インバータ回路２１はスイッチング素子を数十ｋＨｚでスイッチングし加熱コイル１６に高周波電流を発生させる。加熱コイルに高周波電流を発生させることで調理鍋等の負荷底部に誘導電流が発生し負荷が加熱される。
【００３８】
スイッチング電源２２はスイッチング素子を数百ｋＨｚ程度でスイッチングすることで商用電源電圧から制御回路２３に供給する直流電圧をつくる。制御回路は操作部２５からの情報とインバータ回路２１からの情報に基づき、誘導加熱調理器の加熱を制御する。使用者は操作部２５を操作することで調理時の火力調整を行う。
【００３９】
ノイズフィルタ３１は発生するスイッチングノイズが商用電源の電源ラインに漏洩することを防止するためのものであるが、ノイズフィルタ３１は他の部品が発する漏洩磁束の影響によって、ノイズ遮断性能が低下してしまう。
【００４０】
そこで本構成では、電源コード電源接続部２９および電源コードアース接続部３２の前面と左右を囲うように金属製の電源経路接続部カバー３３を形成しており、電源経路接続部カバー３３は外郭後側面に当接するようにセットされ、電源経路接続部カバー３３の一部に設けた電源経路接続部カバーねじ締め部３４は本体外郭後側面とアンダーフレーム１５とで挟んでねじで共締めをする構成となっており、接地電位部分としてのアースに接続されているため、加熱コイル１６で発生する漏洩磁束やスイッチング電源から発せられる電磁ノイズは本体外郭１１および、電源経路接続部カバー３３によってシールドされ接地電位部分としてのアースに吸収されるため、ノイズ遮蔽性能を向上することができる。また、ノイズフィルタ３１は本体外郭最後方部に位置しており、スイッチング電源２２や加熱コイル１６から距離も遠くとれ、他の部品が発する漏洩磁束のノイズフィルタ３１への影響を低減することができる。またさらに電源経路接続部の下方に電源コード２８の本体挿入口を設けることで、スイッチング電源２２や加熱コイル１６から距離が遠くとれ、他の部品が発する漏洩磁束の電源経路接続部２７から商用電源ラインである電源コード２８への影響を低減することができる。また、電源経路接続部２７下方の外郭後側面開口穴より挿入された電源コード２８の電源コード電源接続部２９を電源経路接続部基板２７の下側の端子台に端子ねじにより接続しているため、本体内に電源コード２８が挿入されて、基板に接続されるまでの電源コード２８のリードの長さが短くでき、他の部品が発する漏洩磁束から影響されるリードの長さが短いため、電源経路接続部２７から商用電源ラインである電源コードへの影響を低減することができる。電源コードアース接続部３２は、電源経路接続部基板２７の下方で外郭後側面に締め付けて接続しているので、これもリードの長さが短くでき、他の部品が発する漏洩磁束から影響されるリードの長さが短いため、アース線への影響を低減することができ、電源経路接続部２７から商用電源ラインである電源コード２８への影響を低減することができる。また金属製のアンダーフレーム１５で電源経路接続部基板２７上部を覆う構成とすることにより、加熱コイル１６で発生する漏洩磁束はアンダーフレーム１５により遮蔽され、電源経路接続部２７へのノイズ遮蔽性能を向上することができる。またさらに、電源経路接続部カバー３３の一部を金属製の本体外郭にねじにより締め付ける構成としたことにより、確実に電源経路接続部カバー３３がねじ締めによりアースにつながり、他の部品が発する漏洩磁束が接地電位部分としてのアースに吸収されるため、ノイズ遮蔽性能を向上することができる。
【００４１】
以上のように本実施の形態において、電源経路接続部基板２７および電源コード電源接続部２９の前面と左右を囲う金属により形成された電源経路接続部カバー３３により、加熱コイル１６から電源経路接続部基板２７への漏洩磁束やスイッチング電源２２から発せられる電磁ノイズからのノイズ遮蔽性能を向上することができる。また、調理器本体外の空気を吸気する冷却ファン２４により送風された冷却風を電源経路接続部基板２７内に通気し、電源経路接続部２７の上方のカバー外へ排気する通気経路を設け、電源経路接続部カバー上方開口部３３ｂとトップユニット１３後方の排気口３７が上方から見て重ならないように配置することで、電源経路接続部基板２７の構成部品を冷却することができるとともに、使用中に液体が零れた際にも、電源経路接続部２７に液体が侵入し、ショートの危険を防ぐことができる。
【００４２】
（実施の形態２）
さらに、電源経路接続部基板２７は、電源コード２８から供給される商用電源を回路基板１９に供給するために、電源コード電源接続部２９を接続する端子台を備えているが、チョークコイル、コンデンサをさらに有し、ノイズフィルタ３１を兼ねているものでも良
い。特にコイルは自己発熱が大きい冷却対策が必要な部品であり、部品の配置によっては、近傍のコンデンサの温度も上昇させてしまうこともあるため、電源経路接続部カバー３３がコイル、コンデンサ等のノイズフィルタ３１を覆うことでノイズフィルタの冷却性能がさらに向上する。
【００４３】
（実施の形態３）
さらに、図５に示すように回路基板１９と本体外郭１１底面の間に底面と略垂直な側壁４７を設け、冷却ファン２４からの冷却風を回路基板１９と本体外郭１１底面と側壁４７に囲まれた経路に流すことにより、電源経路接続部カバー３３内に効率よく流すことができ、冷却性能を向上することができる。
【００４４】
（実施の形態４）
さらに、回路基板１９と本体外郭１１底面の間に底面と略平行な仕切板４８を設け、冷却ファン２４からの冷却風を仕切板４８と本体外郭１１底面との間に流すことにより、冷却風を電源経路接続部カバー３３内に効率よく流すことができ、冷却性能を向上することができる。
【００４５】
（実施の形態５）
さらに、図７に示すように仕切板４８と本体外郭１１底面に当接する略垂直な側壁４７を設け冷却風を仕切板４８と本体外郭１１底面と側壁４７に囲まれた経路に流すことにより、冷却風を電源経路接続部カバー３３内に効率よく流すことができ、冷却性能を向上することができる。
【００４６】
（実施の形態６）
さらに、図８に示すように仕切板４８と本体外郭１１底面と側壁４７との間に空間４９をさらに設け、図に矢印で記載した通風経路５０と分離することにより、排気口３７から侵入した液体は図に矢印で記載した流入経路５１を通り空間４９内に流れ落ちるため、通風経路５０に液体が侵入し液体が冷却ファン２４の風に乗って電源経路接続部基板２７に付着することがなく、使用者が調理中に排気口３７に水やスープ等の液体を零してしまった場合においてもショートの危険がなく、安心して使用することができる。
【産業上の利用可能性】
【００４７】
以上のように、本発明にかかる誘導加熱調理器は、上下に開口部を有し、電源経路接続部を覆う金属製のダクト上方の開口部と、排気口を機器上方から見て重ならないように設けることで、機器後方に設けられた電源経路接続部を排気口からの水の浸入を防ぎつつ、冷却性能およびノイズ遮蔽性能を向上することができるので、電源経路接続部と排気口とを有する業務用あるいは家庭用の加熱調理機器等の用途にも適用できる。
【符号の説明】
【００４８】
１１  本体外郭（外郭）
１２  キッチン
１３  トップユニット部
１４  トッププレート
１５  アンダーフレーム
１６ａ  左加熱コイル（加熱コイル）
１６ｂ  右加熱コイル（加熱コイル）
１７  ロースター
１８  基板ベース
１９  回路基板
２４  冷却ファン（ファン）
２５  操作部
２６  電源経路接続部基板ホルダ
２７  電源経路接続部基板（電源経路接続部）
２８  電源コード
２９  電源コード電源接続部
３０  ノイズフィルタ基板ホルダ
３１  ノイズフィルタ
３２  電源コードアース接続部
３３  電源経路接続部カバー（金属カバー、ダクト）
３３ａ  電源経路接続部カバー下方開口部（下方の開口部）
３３ｂ  電源経路接続部カバー上方開口部（上方の開口部）
３４  カバーねじ締め部
３５  カバー通気穴
３６  中仕切板
３７  排気口
３８  操作部ケース
３９  操作用押しボタン部
４０  操作基板
４１  操作基板ベース
４２  左右支持部
４３  前面板
４４  シャフト
４５  操作部ケース開口穴（前方に設けた開口部）
４６  ファン吸気口
４７  側壁
４８  仕切板
４９  空間
５０  通風経路
５１  流入経路
【図１】
2010282910.tif 000003
【図２】
2010282910.tif 000004
【図３】
2010282910.tif 000005
【図４】
2010282910.tif 000006
【図５】
2010282910.tif 000007
【図６】
2010282910.tif 000008
【図７】
2010282910.tif 000009
【図８】
2010282910.tif 000010